(57)【要約】【課題】  ディスクアレイ２の電源オン／オフ操作を、簡単な構成の装置で、サーバー１の電源オン／オフに連動させる。【解決手段】  サーバー１のＵＳＢソケットに接続されるＵＳＢコネクタ５及びディスクアレイ２に接続されるディスクアレイ専用コネクタ７とを含む電源連動ケーブル６を用い、サーバー１が起動されたとき、該サーバー１のＵＳＢソケットから給電される電力（電源電圧）をディスクアレイの起動信号に変換することによって、サーバー１の起動とディスクアレイ２の起動を連動させた電源連動システム。【選択図】    図１
2007072600.tif 000002
【特許請求の範囲】
【請求項１】
起動により電力及び信号を発する機能を有するＵＳＢソケットを備える主装置と、起動信号の入力により起動する機能を備える従装置とを含み、主装置の起動に従装置の起動を連動させる電源連動システムであって、
前記主装置のＵＳＢソケットから発する電力を入力とする電源供給用端子を有するＵＳＢコネクタと、該電源供給用端子に供給された電力を従装置の起動信号に変換する専用コネクタを有する電源連動ケーブルを設け、
前記主装置を起動したとき、電源連動ケーブルが、主装置のＵＳＢソケットに接続されたＵＳＢコネクタに供給された電力を、前記専用コネクタにより従装置の起動信号に変換して従装置に供給することを特徴とする電源連動システム。
【請求項２】
ディスクアレイの電源オンオフをサーバーの電源オンオフに連動させる電源連動システムであって、
前記サーバーのＵＳＢソケットから発する電力を入力とする電源供給用端子を有するＵＳＢコネクタと、該電源供給用端子に供給された電力をディスクアレイの起動信号に変換するディスクアレイ専用コネクタを有する電源連動ケーブルを設け、
前記サーバーを起動したとき、電源連動ケーブルが、サーバーのＵＳＢソケットに接続されたＵＳＢコネクタに供給された電力を、前記ディスクアレイ専用コネクタによりディスクアレイの起動信号に変換してディスクアレイに供給することを特徴とする電源連動システム。
【請求項３】
前記ディスクアレイ専用コネクタが、ＵＳＢコネクタから給電された電源電圧又は電圧電流を抵抗器を直列に介して前記起動信号に変換することを特徴とする請求項２記載の電源連動システム。
【請求項４】
サーバーとディスクアレイとの間に接続される電源連動ケーブルであって、
電源供給用端子及び信号伝達用端子を有するＵＳＢコネクタと、該ＵＳＢコネクタの電源供給用端子に給電された電源電圧又は電圧電流を抵抗を介して起動信号に変換するディスクアレイ専用コネクタとを含むことを特徴とする電源連動ケーブル。
【発明の詳細な説明】
【技術分野】
【０００１】
本発明は、サーバーに併設されているディスクアレイの電源を、上記サーバーに連動させて自動的にオンオフすることができる電源連動システム、及び電源連動用のケーブルに関するものである。
【背景技術】
【０００２】
図４は、この種の電源連動システムの従来例を示し、（Ａ）は接続系統図、（Ｂ）はフロー図である。この電源連動システムは、図４（Ａ）に示す如く、電源オンオフの対象となるサーバー１及びディスクアレイ２と、商用電源３からの電力が供給されてシステムの無停電制御を行うと共に、サーバー１の起動時にディスクアレイ起動信号ｓを発信する無停電電源ＵＰＳと、該無停電電源ＵＰＳからの指示によりディスクアレイ２の電源スイッチをオンさせる電源連動装置４とから構成され、サーバー１の電源をオンしたとき、前記無停電電源ＵＰＳがディスクアレイ起動信号ｓを発信し、電源連動装置４を作動させてディスクアレイ２の電源スイッチをオンさせることによって、サーバー１とディスクアレイ２とを同時に起動させるように構成されている。
【０００３】
この電源連動システムは、図４（Ｂ）に示す、ステップｆ１において、無停電電源ＵＰＳがＯＦＦされていることによりディスクアレイ２がスタンバイ状態に在り、ステップｆ２の如く無停電電源ＵＰＳの出力回路がオンされたとき、ステップｆ３によりサーバー１を起動し、これに伴って電源連動装置４からディスクアレイ２に起動信号ｓが送られ、ステップｆ４の如くディスクアレイ２も同時に起動するものである。
【０００４】
本発明に最も近い先行技術として、下記特許文献が挙げられ、この特許文献には、複数の周辺装置が接続される情報処理装置において、周辺機器の電源がオン／オフされたとき、本体機器がこれに連動して自動的にオン／オフされる技術が記載されている。
【特許文献１】特開平１１−２１２６８２号公報
【発明の開示】
【発明が解決しようとする課題】
【０００５】
前記特許文献１記載の技術は、ＳＣＳＩバスを介して接続された複数の周辺機器の電源のオンオフを監視し、予め設定された特定の周辺機器の電源のオンオフに連動して情報処理装置本体や他の周辺装置の電源制御を行う旨が記載されている。この従来技術による電源制御は、ＳＣＳＩバスを利用するために情報処理装置本体がＳＣＳＩバスとの接続を認識可能な状態、具体的には通常に起動しているか省電力モードのスタンバイ状態である必要があり、本発明の対象とするサーバーやディスクアレイをＬＡＮ等で接続したコンピュータシステムには適用することができないと言う不具合があった。
また図４に示した従来技術は、サーバー１の起動に連動させてディスクアレイ２を起動させることができるが、無停電電源ＵＰＳ及び電源連動装置の存在が前提となっており、これら無停電電源ＵＰＳ及び電源連動装置を具備していない設備においては適用できない。
本発明は以上に述べた事情に鑑みて為されたものであって、その目的とするところは、無停電電源ＵＰＳ等を必要条件とせずにサーバーの起動に連動させてディスクアレイを自動的に起動せしめ得る電源連動システム、及び電源連動用のケーブルを提供するにある。
【課題を解決するための手段】
【０００６】
前記目的を達成するため請求項１記載の発明は、起動により電力及び信号を発する機能を有するＵＳＢソケットを備える主装置と、起動信号の入力により起動する機能を備える従装置とを含み、主装置の起動に従装置の起動を連動させる電源連動システムにおいて、前記主装置のＵＳＢソケットから発する電力を入力とする電源供給用端子を有するＵＳＢコネクタと、該電源供給用端子に供給された電力を従装置の起動信号に変換する専用コネクタを有する電源連動ケーブルを設け、前記主装置を起動したとき、電源連動ケーブルが、主装置のＵＳＢソケットに接続されたＵＳＢコネクタに供給された電力を、前記専用コネクタにより従装置の起動信号に変換して従装置に供給することを特徴とする。
【０００７】
前記目的を達成するために請求項２記載の電源連動システムは、ディスクアレイの電源オンオフをサーバーの電源オンオフに連動させる電源連動システムにおいて、前記サーバーのＵＳＢソケットから発する電力を入力とする電源供給用端子を有するＵＳＢコネクタと、該電源供給用端子に供給された電力をディスクアレイの起動信号に変換するディスクアレイ専用コネクタを有する電源連動ケーブルを設け、前記サーバーを起動したとき、電源連動ケーブルが、サーバーのＵＳＢソケットに接続されたＵＳＢコネクタに供給された電力を、前記ディスクアレイ専用コネクタによりディスクアレイの起動信号に変換してディスクアレイに供給することを特徴とする。
【０００８】
更に請求項３記載の電源連動システムは、前記ディスクアレイ専用コネクタが、ＵＳＢコネクタから給電された電源電圧又は電圧電流を抵抗器を直列に介して前記起動信号に変換することを特徴とする。
【０００９】
更に請求項４記載の電源連動ケーブルは、サーバーとディスクアレイとの間に接続され、電源供給用端子及び信号伝達用端子を有するＵＳＢコネクタと、該ＵＳＢコネクタの電源供給用端子に給電された電源電圧又は電圧電流を抵抗を介して起動信号に変換するディスクアレイ専用コネクタとを含むことを特徴とする。
【発明の効果】
【００１０】
本発明は、主装置（サーバー）に設けられているＵＳＢソケットとディスクアレイとを、ＵＳＢソケットの電源供給用端子に給電された電源電圧又は電圧電流を抵抗を介して起動信号に変換するディスクアレイ専用コネクタを含む電源連動ケーブルで接続するという簡単な構成によって、サーバーとディスクアレイの電源オンとを容易に連動させることができる。
【００１１】
更に本発明は、ディスクアレイ専用コネクタが、ＵＳＢコネクタに給電された電源電圧又は電圧電流を抵抗器を直列に介して前記起動信号に変換することにより、簡易な構成でディスクアレイに起動信号を供給することができる。
【００１２】
更に本発明は、一端が電源供給用端子及び信号伝達用端子を有するＵＳＢコネクタ、他端が前記ＵＳＢコネクタの電源供給用端子に給電された電源電圧又は電圧電流を抵抗を介して起動信号に変換するディスクアレイ専用コネクタとを備えた電源連動ケーブルを構成することにより、ＵＳＢコネクタから供給される電源電圧又は電圧電流を容易に起動信号に変換することができる。
【発明を実施するための最良の形態】
【００１３】
以下、本発明の一実施形態による電源連動システム及び電源連動ケーブルを図面を参照して詳細に説明する。図１は、本発明の１実施形態を示し、（Ａ）はサーバーとディスクアレイとを電源連動ケーブルで接続した状態を描いた系統図、（Ｂ）は上記系統図に描かれている電源連動ケーブルの３面図であり、図２は本発明の１実施形態を示し、（Ａ）は概要的な接続系統図、（Ｂ）は作動フロー図であり、図３は前掲の図１（Ｂ）に記載された電源連動ケーブルをシンボルマークで描いた模式的な配線系統図である。
【００１４】
本実施形態による電源連動システムは、図２（Ａ）に示す如く、商用電源３からの電力が供給され且つ電源オンオフの対象となるサーバー１及びディスクアレイ２と、一端を該サーバー１のＵＳＢソケットにＵＳＢコネクタ５を接続し、他端をディスクアレイ２のディスクアレイ専用コネクタに接続した電源連動ケーブル６とから構成される。尚、本出願においては、サーバー等の装置側に設けられたメス型のＵＳＢ端子をＵＳＢソケット、該ＵＳＢソケットに差し込むオス型端子をＵＳＢコネクタと呼ぶ。
【００１５】
この様に構成した電源連動システムの概略動作は、図２（Ｂ）に示す如く、ステップｆ５の如くサーバー１の電源がＯＦＦされ、ディスクアレイ２がスタンバイ状態において、ステップｆ６の如くサーバー１の電源がオンされたとき、これに伴って電源連動ケーブル６のＵＳＢコネクタ５の端子（Ｕｔ１）の電位がオンし、これによりステップｆ７の如くＵＳＢコネクタ５経由で電源連動ケーブル６を通してディスクアレイ２に起動信号が送られ、これによりステップｆ８の如くディスクアレイ２が起動するように動作する。
【００１６】
次いで前述の電源連動システムの詳細構成並びに動作を図１を参照して説明する。図１は本発明装置の１実施形態を示し、（Ａ）はその詳細な系統図である。（Ｂ）は、上記（Ａ）図に描かれている電源連動ケーブル６の詳細な正面図である。
【００１７】
本実施形態による電源連動システムは、図１（Ａ）に示す如く、商用電源３からの電力が供給され且つ電源オンオフの対象となるサーバー１及びディスクアレイ２と、
一端のＵＳＢコネクタ５を前記サーバー１のＵＳＢソケットに接続し、他端をディスクアレイ２のディスクアレイ専用コネクタに接続した電源連動ケーブル６と、から構成され、前記ディスクアレイ２は、図示しない複数の磁気ディスク群と、これらディスク群他を制御する制御部２ａと、商用電源３からの電力が供給される電源部２ｂと、該電源部２ｂの電源オンオフを制御する電源制御部２ｃとを備える。
【００１８】
また前記サーバー１は、近年のパーソナルコンピュータ同様にＵＳＢソケットを有し、電源オン時には該ＵＳＢソケットに挿入されたＵＳＢコネクタの電源供給用端子を介して電力を給電すると共に信号伝送用端子を介して接続された周辺機器と信号の送受信を行う機能を備える。尚、本実施形態においては、電源がオンオフされる対象装置してサーバー及びディスクアレイを対象とするが、他の装置、例えば、電源がオンオフされる主装置と、他装置からの起動信号を入力とし、この起動信号により主装置と連動して電源をオンオフする従装置の関係がある他の装置構成であっても良い。
【００１９】
また前記電源連動ケーブル６は、図１下段に示す如く、本来的には４芯のケーブルであって、その両端部それぞれに、ＵＳＢコネクタ５とディスクアレイ専用コネクタ７とが接続されている。この回路構成は、図３に示す如く、赤色電線は、片方の端がＵＳＢコネクタ５のＵＢＳ端子Ｕｔ１に接続導通され、他方の端が抵抗器８を直列に介してディスクアレイ専用コネクタ７のコネクタピンＤｐ１に接続導通され、グランド電位である黒色電線は、片方の端がＵＳＢコネクタ５のＵＢＳ端子Ｕｔ２に接続導通されており、他方の端がコネクタピンＤｐ２に接続導通され、他の信号伝達用の白色及び緑色電線は開放されるように構成されている。前記本例の抵抗器８は、６２０オーム、１／４ワットの固定電気抵抗器であって、ＵＳＢコネクタ５のＵＢＳ端子Ｕｔ１から給電される電源電圧又は電圧電流（電力）を入力として、信号電流値を０．１ｍＡに制限することにより、起動信号に変換する機能を果たしている。
【００２０】
この様に構成された電源連動システムは、サーバー１のスイッチ（図示省略）をオン操作することによって起動され、この起動によってＵＳＢソケットからＵＳＢコネクタを介して電源連動ケーブル６に電力が供給されることによって前述の如く変換された起動信号がディスクアレイ２のディスクアレイ専用コネクタ７に印可され、この起動信号が印可されたディスクアレイ２の電源制御部２ｃが電源部２ｂを介してディスクアレイ２を起動する様に動作する。
【００２１】
この様に本実施形態による電源連動システムは、主装置側のサーバーが標準で備えるＵＳＢコネクタから装置起動時に電力が供給されることを利用し、この電力を電源連動ケーブルが従装置であるディスクアレイの起動信号に変換することによって、主装置の起動に連動して従装置を起動することができる。
【００２２】
尚、前記実施形態においては電源オン時のみについて説明したが、本発明による電源連動システムは、主装置の電源がオフされ、ＵＳＢソケットからの電力供給が停止されたとき、従装置の電源制御回路が起動信号の不存在を検出することによって、従装置の電源をオフするものであり、このような電源オフ時にも適用することができる。
【図面の簡単な説明】
【００２３】
【図１】本発明の１実施形態を示し、（Ａ）はサーバーとディスクアレイとを電源連動ケーブルで接続した状態を描いた系統図、（Ｂ）は上記系統図に描かれている電源連動ケーブルの３面図
【図２】本発明の１実施形態を示し、（Ａ）は概要的な接続系統図、（Ｂ）は作動フロー図
【図３】前掲の図１（Ｂ）に記載された電源連動ケーブルを、シンボルマークで描いた模式的な配線系統図
【図４】サーバーとディスクアレイとを含む機構の従来例を示し、（Ａ）は概要的な接続系統図、（Ｂ）は作動フロー図
【符号の説明】
【００２４】
１…サーバー、２…ディスクアレイ、２ａ…制御部、２ｂ…電源部、２ｃ…電源制御部、３…商用電源、４…電源連動装置、５…ＵＳＢコネクタ、６…電源連動ケーブル、７…ディスクアレイ専用コネクタ、８…固定電気抵抗器。
【図１】
2007072600.tif 000003
【図２】
2007072600.tif 000004
【図３】
2007072600.tif 000005
【図４】
2007072600.tif 000006